(57)【要約】【課題】ネットワークを介して医療情報管理サーバを利用する際には確実な接続を確保し、診断の中断を回避することができる画像表示装置を提供する。【解決手段】当該ワークステーション４を医療情報管理サーバ５０に接続するためのネットワーク情報を入力し、入力された該ネットワーク情報によって医療情報管理サーバ５０と接続確認を行うことでネットワーク情報の設定を完了させるネットワーク情報設定部１６ａを備えることで、ネットワーク情報に誤りがある状態のままネットワーク情報の設定が完了しないようにした。【選択図】        図２
2008272119.tif 000002
【特許請求の範囲】
【請求項１】
被検体内に導入された被検体内導入装置で撮像されて被検体外の受信装置が該被検体内導入装置から無線で受信し蓄積した被検体内情報を取得して所定の処理を行うとともに、医療情報管理サーバに対してネットワークを介して接続可能な画像表示装置であって、
当該画像表示装置を前記医療情報管理サーバに接続するためのネットワーク情報を入力し、入力された該ネットワーク情報によって前記医療情報管理サーバと接続確認を行うことで前記ネットワーク情報の設定を完了させるネットワーク情報設定手段を備えることを特徴とする画像表示装置。
【請求項２】
前記ネットワーク情報設定手段による前記接続確認は、当該画像表示装置から前記医療情報管理サーバに対するログインの成否で行うことを特徴とする請求項１に記載の画像表示装置。
【請求項３】
前記ネットワーク情報設定手段による前記接続確認は、当該画像表示装置から前記医療情報管理サーバに対するログイン後のダミーデータの送受信の成否で行うことを特徴とする請求項１に記載の画像表示装置。
【請求項４】
前記ネットワーク情報設定手段による前記接続確認は、接続確認専用のキー操作に基づき行わせることを特徴とする請求項１〜３のいずれか一つに記載の画像表示装置。
【請求項５】
前記ネットワーク情報設定手段による前記接続確認は、入力内容確定キーのキー操作に基づき行わせることを特徴とする請求項１〜３のいずれか一つに記載の画像表示装置。
【発明の詳細な説明】
【技術分野】
【０００１】
本発明は、カプセル型内視鏡等の被検体内導入装置で撮像された被検体内情報を被検体外に装着した受信装置を介して取得し、被検体内情報に対して表示、その他の所定の処理を行う被検体内導入システム用の画像表示装置に関するものである。
【背景技術】
【０００２】
近年、内視鏡の分野において、撮像機能と無線通信機能とを備えたカプセル型内視鏡が登場している。また、かかるカプセル型内視鏡を用いて被検体の臓器内部の画像を撮像し、撮像した画像を受信装置によって順次受信し、受信装置によって受信された被検体内の画像をワークステーション等の画像表示装置によって順次表示して、被検体内の観察（検査）を行うカプセル型内視鏡システムが提案されている。
【０００３】
かかるカプセル型内視鏡システムにおいて、ワークステーション等の画像表示装置に手動で入力された患者情報、検査情報は、受信装置に転送される。受信装置は、画像表示装置から取り外され、被検体の体表に装着された後、嚥下されたカプセル型内視鏡から送信されてくる最大約８時間分（約６００００枚）の画像を蓄積する。カプセル型内視鏡による撮影後、受信装置は、被検体から取り外され、再び画像表示装置に接続される。画像表示装置は、受信装置が接続されると、受信装置に蓄積されている大量の画像の転送を受け、画像の観察および診断レポートの作成に供する。
【０００４】
このようなワークステーション等による画像表示装置は、従来にあっては、スタンドアロンで稼動している（例えば、特許文献１参照）。
【０００５】
ここで、患者情報、検査情報、診断結果等を管理する医療情報管理サーバを備え、画像表示装置をネットワークを介して医療情報管理サーバに接続してネットワークシステムを構築すれば、利便性が向上する。例えば、医療情報管理サーバに接続された画像表示装置は、患者情報、検査情報をネットワークを介して医療情報管理サーバから取得し自動で受信装置に転送する。そして、カプセル型内視鏡による被検体内の撮影後は、受信装置は、蓄積された画像を画像表示装置に転送する。画像表示装置は、転送された画像について病変部と疑われる画像のピックアップ等の処理を行うとともに、ピックアップされた画像を医療情報管理サーバに転送する。医療情報管理サーバは、転送されたピックアップ画像を基に診断レポートを作成することが可能となる。
【０００６】
【特許文献１】特開２００６−６１６２７号公報
【発明の開示】
【発明が解決しようとする課題】
【０００７】
ここで、画像表示装置をネットワークを介して医療情報管理サーバに接続するためには、画像表示装置においてネットワーク情報を設定する必要がある。このようなネットワーク情報の設定は、画像表示装置を利用する医師や看護師ではなく、ネットワーク管理者等の熟練者が行うのが通常である。
【０００８】
しかしながら、画像表示装置におけるネットワーク情報の設定に際して、ネットワーク情報に誤りがあるまま設定作業が終了してしまうことがある。このような状況で、医師等が画像表示装置による診断中にネットワークを介して医療情報管理サーバを参照しようとする場合、画像表示装置は設定されているネットワーク情報で接続を試みるが、接続できないため、医療情報管理サーバを参照できず、診断が中断してしまう不具合がある。この際、医師等によるネットワーク情報の設定し直しは難しく、ネットワーク管理者等が来るまで長期に亘って中断せざるを得ないこととなってしまう。
【０００９】
本発明は、上記に鑑みてなされたものであって、ネットワークを介して医療情報管理サーバを利用する際には確実な接続を確保し、診断の中断を回避することができる画像表示装置を提供することを目的とする。
【課題を解決するための手段】
【００１０】
上述した課題を解決し、目的を達成するために、本発明にかかる画像表示装置は、被検体内に導入された被検体内導入装置で撮像されて被検体外の受信装置が該被検体内導入装置から無線で受信し蓄積した被検体内情報を取得して所定の処理を行うとともに、医療情報管理サーバに対してネットワークを介して接続可能な画像表示装置であって、当該画像表示装置を前記医療情報管理サーバに接続するためのネットワーク情報を入力し、入力された該ネットワーク情報によって前記医療情報管理サーバと接続確認を行うことで前記ネットワーク情報の設定を完了させるネットワーク情報設定手段を備えることを特徴とする。
【００１１】
また、本発明にかかる画像表示装置は、上記発明において、前記ネットワーク情報設定手段による前記接続確認は、当該画像表示装置から前記医療情報管理サーバに対するログインの成否で行うことを特徴とする。
【００１２】
また、本発明にかかる画像表示装置は、上記発明において、前記ネットワーク情報設定手段による前記接続確認は、当該画像表示装置から前記医療情報管理サーバに対するログイン後のダミーデータの送受信の成否で行うことを特徴とする。
【００１３】
また、本発明にかかる画像表示装置は、上記発明において、前記ネットワーク情報設定手段による前記接続確認は、接続確認専用のキー操作に基づき行わせることを特徴とする。
【００１４】
また、本発明にかかる画像表示装置は、上記発明において、前記ネットワーク情報設定手段による前記接続確認は、入力内容確定キーのキー操作に基づき行わせることを特徴とする。
【発明の効果】
【００１５】
本発明にかかる画像表示装置は、当該画像表示装置を医療情報管理サーバに接続するためのネットワーク情報を入力し、入力された該ネットワーク情報によって医療情報管理サーバと接続確認を行うことでネットワーク情報の設定を完了させるネットワーク情報設定手段を備えるので、ネットワーク情報に誤りがある状態のままネットワーク情報の設定が完了することはなく、よって、ネットワークを介して医療情報管理サーバを利用する際には確実な接続を確保し、診断の中断を回避することができるという効果を奏する。
【発明を実施するための最良の形態】
【００１６】
以下、図面を参照して、本発明にかかる画像表示装置の好適な実施の形態を詳細に説明する。なお、この実施の形態によってこの発明が限定されるものではない。
【００１７】
図１は、本発明の実施の形態にかかる画像表示装置を含むネットワークシステムの一例を示す模式図である。図１に示すように、本実施の形態にかかるネットワークシステム１は、被検体内導入システムである複数のカプセル型内視鏡システム１０と、医療情報管理サーバ５０と、ネットワーク６０とにより構築される。
【００１８】
ここで、カプセル型内視鏡システム１０は、患者等の被検体１の被検体内画像を撮像する被検体内導入装置であるカプセル型内視鏡２と、このカプセル型内視鏡２から被検体１の被検体内画像情報を受信して蓄積する受信装置３と、受信装置３が受信し蓄積した被検体１の被検体内画像情報を取得して表示、その他の所定の処理を行うワークステーション４と、受信装置３とワークステーション４との間のデータの受け渡しを行うための可搬型の記録媒体５とを備える。
【００１９】
カプセル型内視鏡２は、被検体１の体内画像を撮像するためのものであり、被検体１の臓器内部に導入可能なカプセル型筐体の内部に撮像機能と無線通信機能とを有する。具体的には、カプセル型内視鏡２は、被検体１の口から飲込まれた後、臓器の蠕動運動等によって被検体１の臓器内部を移動しつつ、所定の間隔（例えば０．５秒間隔）で体内画像を順次撮像する。そして、カプセル型内視鏡２は、被検体１の体内画像を含む被検体内情報を外部の受信装置３に対して順次無線送信する。また、カプセル型内視鏡２は、自身を特定するＩＤ情報（以下、カプセルＩＤという）を有し、撮像した画像データを含む画像信号にカプセルＩＤを付加する。このようなカプセル型内視鏡２は、体内画像等の画像データとともに自身のカプセルＩＤを外部の受信装置３に対して順次無線送信する。
【００２０】
受信装置３は、カプセル型内視鏡２が撮像した被検体１の体内画像を受信して蓄積するためのものである。具体的には、受信装置３は、複数の受信アンテナ３ａ〜３ｈを有し、カプセル型内視鏡２を臓器内部に導入する被検体１に装着（携帯）される。受信装置３は、受信アンテナ３ａ〜３ｈを介して、カプセル型内視鏡２が無線送信した画像信号を順次受信して、この画像信号に含まれる画像データとカプセルＩＤとを取得する。また、受信装置３は、記録媒体５を有し、カプセル型内視鏡２から受信した被検体１の体内画像とカプセルＩＤとをこの記録媒体５に格納する。
【００２１】
ワークステーション４は、記録媒体５を介して被検体１の体内画像等の各種データを取得し、この取得した各種データをディスプレイ上に表示する画像表示装置としての機能を有する。ワークステーション４は、記録媒体５を介して取得した被検体１の体内画像を表示する。医師または看護師等のユーザは、ワークステーション４が表示した被検体１の体内画像を観察（検査）することによって、被検体１を診断する。また、ワークステーション４は、被検体１の診断結果等を示す診断レポートを作成するレポート作成機能を有し、この作成した診断レポートをディスプレイ上に表示する。
【００２２】
記録媒体５は、可搬型の記録媒体であり、上述した受信装置３とワークステーション４との間のデータの受け渡しを行うためのものである。具体的には、記録媒体５は、受信装置３およびワークステーション４に対して着脱可能であって、両者に対する挿着時にデータの出力および記録が可能な構造を有する。このような記録媒体５は、受信装置３に挿着された場合、受信装置３がカプセル型内視鏡２から受信した被検体１の体内画像等を記録し、ワークステーション４に挿着された場合、被検体１の体内画像等の記録データをワークステーション４に送出する。
【００２３】
医療情報管理サーバ５０は、患者情報、検査情報、診断結果等を管理するためのものである。この医療情報管理サーバ５０は、例えば、一つの病院内に設置されたものでもよく、複数の病院に対して共通に設置されたものでもよい。また、ネットワーク６０は、インターネット、イントラネット、有線ＬＡＮ、または無線ＬＡＮ等によって実現される。
【００２４】
ここで、ワークステーション４は、ネットワーク６０を介して医療情報管理サーバ５０に接続可能であり、ネットワーク６０に接続されることで、医療情報管理サーバ５０の利用が可能となる。
【００２５】
つぎに、本実施の形態にかかるカプセル型内視鏡システム１０のワークステーション４の構成について説明する。図２は、本実施の形態にかかるワークステーションを主体としてネットワークシステムの一例を模式的に示すブロック図である。
【００２６】
ワークステーション４は、各種情報を入力する入力部１１と、被検体１の体内画像等を表示する表示部１２と、記録媒体５を挿着するカードインターフェース（Ｉ／Ｆ）１３とを有する。また、ワークステーション４は、ネットワーク６０を介して医療情報管理サーバ５０と情報通信を行う通信部１４と、被検体１の体内画像およびカプセルＩＤ等の各種データを記憶する記憶部１５と、ワークステーション４の各構成部を制御する制御部１６とを有する。
【００２７】
入力部１１は、キーボードおよびマウス等の入力デバイスを用いて実現される。入力部１１は、ユーザが行う入力操作に応じて、制御部１６に各種情報を入力する。表示部１２は、液晶ディスプレイ等の各種ディスプレイを用いて実現され、制御部１６によって表示指示された各種情報を表示する。表示部１２は、例えば、カプセル型内視鏡２が撮像した被検体１の体内画像、被検体１の診断レポート等を表示する他、ネットワーク情報設定モード時には後述のネットワーク情報設定画面を表示する。カードＩ／Ｆ１３は、記録媒体５が着脱可能に挿着され、挿着された記録媒体５と制御部１６との間のデータの入出力を行う。通信部１４は、ネットワーク６０を介して医療情報管理サーバ５０と通信接続され、この医療情報管理サーバ５０と情報通信を行う。記憶部１５は、ＲＡＭ、ＥＥＰＲＯＭ、フラッシュメモリ、またはハードディスク等の書き換え可能にデータを保存する各種記憶メディアを用いて実現される。
【００２８】
制御部１６は、ワークステーション４の各構成部（入力部１１、表示部１２、カードＩ／Ｆ１３、通信部１４、および記憶部１５）を制御し、各構成部間における信号の入出力を制御する。ここで、本実施の形態の制御部１６は、ネットワーク情報設定部１６ａを備える。ネットワーク情報設定部１６ａは、このワークステーション４を、ネットワーク６０を介して医療情報管理サーバ５０に接続するためのネットワーク情報の設定の管理を行うためのものである。このネットワーク情報設定部１６ａは、ワークステーション４を医療情報管理サーバ５０に接続するためのネットワーク情報を入力し、入力された該ネットワーク情報によって医療情報管理サーバ５０と実際に接続確認を行うことでネットワーク情報の設定を完了させるように機能する。前述の記憶部１５中には、ネットワーク情報設定部１６ａによる設定管理の下に設定が完了したネットワーク情報を格納するネットワーク情報格納部１５ａを有する。
【００２９】
次に、ネットワーク情報設定部１６ａによる管理に下に実行されるネットワーク情報の設定動作について図３および図４を参照して説明する。図３は、ネットワーク情報設定時に表示部１２に表示されるネットワーク情報設定画面１２ａの一例を示す概略正面図であり、図４は、ネットワーク情報設定時の処理制御例を示す概略フローチャートである。
【００３０】
まず、ネットワーク情報設定部１６ａは、ネットワーク情報設定モードに設定されると、表示部１２に図３に示すようなネットワーク情報設定画面１２ａを表示させる（ステップＳ１０）。図示例では、ネットワーク接続に必要なネットワーク情報として、医療情報管理サーバ５０に関するコンピュータ名、ＩＰアドレス、ポートＮｏ．、ユーザ名、パスワードの各項目の入力欄２１が表示されるとともに、接続確認専用の接続確認キー２２、キャンセルキー２３、および設定内容を確定させるためのＯＫキー２４が表示される。ここで、キー２２〜２４のうち、接続確認キー２２およびキャンセルキー２３は操作可能な有効状態にあるが、ＯＫキー２４は操作不能な無効状態にある。
【００３１】
このようなネットワーク情報設定画面１２ａにおいて、ネットワーク情報入力に伴う画面操作があるか否かを判断し（ステップＳ１１）、画面操作があった場合には（ステップＳ１１；Ｙｅｓ）、入力欄２１におけるネットワーク情報に変更があったか否かを判断する（ステップＳ１２）。変更がない場合には（ステップＳ１２；Ｎｏ）、そのまま設定処理を終了して以前の設定状態のままとする。一方、ネットワーク情報に変更操作があった場合には（ステップＳ１２；Ｙｅｓ）、接続確認キー２２の押下を待つ（ステップＳ１３）。接続確認キー２２が押下されたら（ステップＳ１３；Ｙｅｓ）、入力欄２１に入力されたネットワーク情報で医療情報管理サーバ５０との実際の接続確認としてログイン動作を行い（ステップＳ１４）、ログインが成功したか否かをチェックする（ステップＳ１５）。
【００３２】
ここで、ログインに失敗した場合には（ステップＳ１５；Ｎｏ）、ネットワーク情報に誤り等があったものとして、ＯＫキー２４は操作不可な無効状態のままとして今回のネットワーク情報の設定変更を不可とする（ステップＳ１６）。この際、ネットワーク情報に誤りがある旨を表示させ、再設定を促してもよい。一方、ログインに成功した場合には（ステップＳ１５；Ｙｅｓ）、入力されたネットワーク情報は正しいものと認定し、ＯＫキー２４を操作可能な有効状態に切り換えて、ＯＫキー２４の押下による確定を待つ（ステップＳ１７）。ＯＫキー２４が押下されたら（ステップＳ１７；Ｙｅｓ）、入力されたネットワーク情報をネットワーク情報格納部１５ａに格納して設定を完了する（ステップＳ１８）。
【００３３】
このように、本実施の形態のワークステーション４によれば、ネットワーク情報設定部１６ａは、このワークステーション４を医療情報管理サーバ５０に接続するためのネットワーク情報を入力し、入力された該ネットワーク情報によって医療情報管理サーバ５０と実際に接続確認を行うことでネットワーク情報の設定を完了させるので、ネットワーク情報に誤りがある状態のままネットワーク情報の設定が完了することはなくなり、よって、ネットワーク６０を介して医療情報管理サーバ５０を利用する際には確実な接続を確保し、診断の中断を回避することができることとなる。そして、ネットワーク環境の変更に伴い、ネットワーク情報の設定項目等が変更されるようなことがあっても、確実に対応することが可能となる。
【００３４】
なお、ワークステーション４と医療情報管理サーバ５０との間の接続確認は、実際にログイン動作を行い、ログインの成否のみによって行ってもよいが、ログイン確認後、ワークステーション４と医療情報管理サーバ５０との間で実際にダミーデータの送受信動作を自動的に行い、その成否によって判断するようにしてもよい。例えば、接続確認キー２２が押下された場合、ログイン動作に引き続き、ワークステーション４側からは予め設定されたダミーの診断結果を医療情報管理サーバ５０に送信し、医療情報管理サーバ５０側からは予め設定された特定のダミー情報（例えば、ダミーの患者情報、検査情報、医療情報管理サーバ５０の固有ＩＤ）をワークステーション４側に送信するようにしてもよい。これによれば、単なる接続確認に留まらず、医療情報管理サーバ５０側のプログラムが正常に動作しているか否かも確認することが可能となる。
【００３５】
また、本実施の形態では、ワークステーション４と医療情報管理サーバ５０との間の接続確認を、接続確認専用の接続確認キー２２の押下によって行わせるようにしたが、入力内容確定キーであるＯＫキー２４の押下によって自動的に行わせるようにしてもよい。図５および図６は、このための変形例を示すもので、図５は、ネットワーク情報設定時に表示部１２に表示されるネットワーク情報設定画面１２ａの他例を示す概略正面図であり、図６は、ネットワーク情報設定時の処理制御の他例を示す概略フローチャートである。
【００３６】
まず、ネットワーク情報設定部１６ａは、ネットワーク情報設定モードに設定されると、表示部１２に図５に示すようなネットワーク情報設定画面１２ａを表示させる（ステップＳ２０）。図示例では、図３の場合と異なり、接続確認キー２２が省略され、キーは、キャンセルキー２３および設定内容を確定させるためのＯＫキー２４のみが表示される。ここで、これらキャンセルキー２３およびＯＫキー２４は操作可能な有効状態にある。
【００３７】
このようなネットワーク情報設定画面１２ａにおいて、ネットワーク情報入力に伴う画面操作があるか否かを判断し（ステップＳ２１）、画面操作があった場合には（ステップＳ２１；Ｙｅｓ）、ＯＫキー２４の押下を待つ（ステップＳ２２）。ＯＫキー２４が押下されたら（ステップＳ２２；Ｙｅｓ）、入力欄２１に入力されたネットワーク情報で自動的に医療情報管理サーバ５０との実際の接続確認としてログイン動作を行い（ステップＳ２３）、ログインが成功したか否かをチェックする（ステップＳ２４）。
【００３８】
ここで、ログインに失敗した場合には（ステップＳ２４；Ｎｏ）、ネットワーク情報に誤り等があったものとして、ネットワーク情報の設定に失敗した旨を表示させ、今回のネットワーク情報の設定変更を不可とする（ステップＳ２５）。一方、ログインに成功した場合には（ステップＳ２４；Ｙｅｓ）、入力されたネットワーク情報は正しいものと認定し、入力されたネットワーク情報をネットワーク情報格納部１５ａに格納して設定を完了する（ステップＳ２６）。
【００３９】
この場合も、図３および図４で説明した場合と同様の効果を奏するが、特に、ＯＫキー２４の操作によって自動的に実際の接続確認を行わせるので、設定者に特別な操作を要求することなく、実現することができる。
【図面の簡単な説明】
【００４０】
【図１】本発明の実施の形態にかかる画像表示装置を含むネットワークシステムの一例を示す模式図である。
【図２】本実施の形態にかかるワークステーションを主体としてネットワークシステムの一例を模式的に示すブロック図である。
【図３】ネットワーク情報設定時に表示部に表示されるネットワーク情報設定画面の一例を示す概略正面図である。
【図４】ネットワーク情報設定時の処理制御例を示す概略フローチャートである。
【図５】ネットワーク情報設定時に表示部に表示されるネットワーク情報設定画面の他例を示す概略正面図である。
【図６】ネットワーク情報設定時の処理制御の他例を示す概略フローチャートである。
【符号の説明】
【００４１】
１  被検体
２  カプセル型内視鏡
３  受信装置
４  ワークステーション
１６ａ  ネットワーク情報設定部
５０  医療情報管理サーバ
６０  ネットワーク
【図１】
2008272119.tif 000003
【図２】
2008272119.tif 000004
【図３】
2008272119.tif 000005
【図４】
2008272119.tif 000006
【図５】
2008272119.tif 000007
【図６】
2008272119.tif 000008